(57)【特許請求の範囲】
【請求項１】
表示面を有し所定情報を表示可能な表示部が配置された表示部側筐体と、
前記表示部に前記所定情報を表示させた機能に対応した操作を受付可能な第１操作部が配された第１面、および前記所定情報を表示させた機能に対応した操作を受付可能な第２操作部が配された第２面を有する操作部側筐体と、
前記表示面に略平行な回転軸を有すると共に、前記表示部側筐体と前記操作部側筐体とを前記回転軸を中心に回転可能に連結する連結部と、
前記連結部を介した前記表示部側筐体と前記操作部側筐体との回転状態を検出する回転検出部と、
前記回転検出部により検出された回転状態に応じて前記所定情報を表示させた機能に対応した操作を受付可能な状態となる操作部を前記第１操作部および前記第２操作部から選択する制御をする制御部と、を備える携帯電子機器。
【請求項２】
前記制御部は、
前記回転検出部により前記第１面と前記第２面とのいずれか一方が所定方向から見た場合に前記表示面と同じ側を向いている回転状態であることが検出された場合、前記第１操作部と前記第２操作部とのいずれか一方による操作を可能とする請求項１に記載の携帯電子機器。
【請求項３】
前記制御部は、
前記回転検出部により前記第１面の法線が前記表示面に対してなす角度が−９０度より大きく９０度より小さい回転状態であることが検出された場合、前記第１操作部による操作を可能とし、
前記回転検出部により前記第２面の法線が前記表示面に対してなす角度が−９０度より大きく９０度より小さい回転状態であることが検出された場合、前記第２操作部による操作を可能とする請求項１又は２に記載の携帯電子機器。
【請求項４】
前記制御部は、
前記第１操作部による文字又は数字の少なくとも一方の入力操作を可能とし、
第２操作部による所定の選択操作を可能とする請求項１から３のいずれか１項に記載の携帯電子機器。
【請求項５】
前記連結部は、前記表示部側筐体における前記回転軸に直交する幅方向の一端側と、前記操作部側筐体における前記幅方向の一端側とを連結する請求項１から４のいずれか１項に記載の携帯電子機器。
【請求項６】
前記制御部は、
前記回転検出部により前記第２面が所定方向から見た場合に前記表示面と同じ側を向いた回転状態であることが検出された場合、所定のメディア機能を起動させる請求項１から５のいずれか１項に記載の携帯電子機器。
【請求項７】
１又は複数のメディア機能を有し、
前記制御部は、
前記表示部に所定のメディア機能に応じた情報が表示される場合、前記第２操作部による操作を可能とする請求項１から６のいずれか１項に記載の携帯電子機器。
【請求項８】
前記制御部は、
前記表示部に前記所定のメディア機能に応じた情報が表示された状態において、
前記回転検出部により前記第１面が所定方向から見た場合に前記表示面と同じ側を向いた回転状態であることが検出された場合、前記所定のメディア機能に応じた情報の表示を規制する請求項７に記載の携帯電子機器。
【請求項９】
前記第２操作部は、前記所定のメディア機能を操作するためのメディア機能操作部を有する請求項７又は８のいずれか１項に記載の携帯電子機器。
【請求項１０】
前記第１操作部と前記第２操作部とのうち操作可能な操作部を報知する報知手段を有する請求項１から９のいずれか１項に記載の携帯電子機器。
【発明の詳細な説明】
【技術分野】
【０００１】
本発明は、携帯電話機等の携帯電子機器に関する。
【背景技術】
【０００２】
従来、携帯電子機器としての携帯電話機において、テレビ機能等のメディア機能が搭載されてきている。これにより、携帯電話機の表示部にメディア機能に対応した映像等を表示できようになっている。
【０００３】
ここで、ストレートタイプや折り畳みタイプの携帯電話機において、表示部における表示面は通常使用時に縦長状となるように設計されているため、一般の横長表示される映像を表示させるためには、携帯電話機を横置きにする必要がある。ストレートタイプや折り畳みタイプの携帯電話機を横置きにした場合、操作部による操作がしにくいという問題があった。
【０００４】
これに対し、通常の２軸回転携帯端末に表示部側筐体の幅方向一方側で回転可能とする第３軸を設けた構成とすることにより、操作部側筐体を水平にした状態で表示部側筐体を回動可能とした構成が記載されている（特許文献１参照）。
【特許文献１】特開２００５−１９８０６２号公報
【発明の開示】
【発明が解決しようとする課題】
【０００５】
特許文献１の携帯電話機によれば、表示部に表示される映像等は見やすくなるものの、操作部を構成するキーに何の機能が割り振られているかを認識しにくいという問題があった。つまり、使い勝手が悪いという問題があった。
【０００６】
本発明は、表示部を有する表示部側筐体と、第１操作部及び第２操作部を有する操作部側筐体とが互いに回転可能に連結された携帯電子機器であって、操作部側筐体と表示部側筐体との回転状態に応じて第１操作部又は第２操作部の動作を制御する携帯電子機器を提供することを目的とする。
【課題を解決するための手段】
【０００７】
本発明は、表示面を有する表示部が配置された表示部側筐体と、第１面と第２面とを有し前記第１面に配置される第１操作部と前記第２面に配置される第２操作部とを有する操作部側筐体と、前記表示面に略平行な回転軸を有すると共に、前記表示部側筐体と前記操作部側筐体とを前記回転軸を中心に回転可能に連結する連結部と、前記連結部を介した前記表示部側筐体と前記操作部側筐体との回転状態を検出する回転検出部と、前記回転検出部により検出された回転状態に応じて前記第１操作部と前記第２操作部とにおける動作を制御する制御部と、を備える携帯電子機器に関する。
【０００８】
また、前記制御部は、前記回転検出部により前記第１面と前記第２面とのいずれか一方が所定方向から見た場合に前記表示面と同じ側を向いている回転状態であることが検出された場合、前記第１操作部と前記第２操作部とのいずれか一方による操作を可能とすることを特徴とする。
【０００９】
また、前記制御部は、前記回転検出部により前記第１面が前記表示面に対してなす角度が０度より大きく１８０度より小さい回転状態であることが検出された場合、前記第１操作部による操作を可能とし、前記回転検出部により前記第２面が前記表示面に対してなす角度が０度より大きく１８０度より小さい回転状態であることが検出された場合、前記第２操作部による操作を可能とすることを特徴とする。
【００１０】
また、前記制御部は、前記第１操作部による文字又は数字の少なくとも一方の入力操作を可能とし、第２操作部による所定の選択操作を可能とすることを特徴とする。
【００１１】
また、前記連結部は、前記表示部側筐体における前記回転軸に直交する幅方向の一端側と、前記操作部側筐体における前記幅方向の一端側とを連結することを特徴とする。
【００１２】
また、前記制御部は、前記回転検出部により前記第２面が所定方向から見た場合に前記表示面と同じ側を向いた回転状態であることが検出された場合、所定のメディア機能を起動させることが好ましい。
【００１３】
また、１又は複数のメディア機能を有し、前記制御部は、前記表示部に所定のメディア機能に応じた情報が表示される場合、前記第２操作部による操作を可能とすることを特徴とする。
【００１４】
また、前記制御部は、前記表示部に前記所定のメディア機能に応じた情報が表示された状態において、前記回転検出部により前記第１面が所定方向から見た場合に前記表示面と同じ側を向いた回転状態であることが検出された場合、前記所定のメディア機能に応じた情報の表示を規制することが好ましい。
【００１５】
また、前記第２操作部は、前記所定のメディア機能を操作するためのメディア機能操作部を有することが好ましい。
【００１６】
また、前記第１操作部と前記第２操作部とのうち操作可能な操作部を報知する報知手段を有することが好ましい。
【発明の効果】
【００１７】
本発明によれば、表示部を有する表示部側筐体と、第１操作部及び第２操作部を有する操作部側筐体とが互いに回転可能に連結された携帯電子機器であって、操作部側筐体と表示部側筐体との回転状態に応じて第１操作部又は第２操作部の動作を制御する携帯電子機器を提供することを目的とすることができる。
【発明を実施するための最良の形態】
【００１８】
以下、図面を参照して本発明を実施するための最良の形態を説明する。なお、以下、携帯電子機器として携帯電話機１について説明するが、本発明はこれに限定されるものではない。例えば、ＰＨＳ（Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン等であってもよい。
【００１９】
図１から図３により、携帯電話機１における構造について説明する。
図１（Ａ）は、携帯電話機１を開いた第１状態における正面図である。図１（Ｂ）は、携帯電話機１を開いた第１状態における側面図である。図２（Ａ）は、携帯電話機１を開いた第１状態における背面図である。図２（Ｂ）は、携帯電話機１を開いた第１状態における側面図である。図３（Ａ）は、図１の携帯電話機１における操作部側筐体２を連結部４を介して回転した第２状態における正面図である。図３（Ｂ）は、携帯電話機１の第２状態における背面図である。
【００２０】
図１及び図２に示すように、携帯電話機１は、操作部側筐体２と、表示部側筐体３と、を備える。操作部側筐体２と表示部側筐体３とは、ヒンジ機構を備える連結部４を介して互いに回転可能に連結されている。具体的には、操作部側筐体２の上端における幅方向Ｘの一端（図１（Ａ）における左側の端部）と、表示部側筐体３の下端における幅方向Ｘの一端（図１（Ａ）における左側の端部）とは、連結部４を介して連結されている。携帯電話機１は、連結部４を介して連結された操作部側筐体２と表示部側筐体３とを相対的に回転可能に構成される。
【００２１】
操作部側筐体２は、外面がフロントケース２ａとリアケース２ｂとにより構成される。この操作部側筐体２において、フロントケース２ａ側の表面である第１面２Ａには、第１操作部としての第１操作キー群１１Ａと、携帯電話機１の使用者が通話時に発した音声が入力されるマイクとしての音声入力部１２とがそれぞれ露出するように配置される。この音声入力部１２は、操作部側筐体２の長手方向における連結部４側と反対の外端部側に配置される。
【００２２】
また、操作部側筐体２において、リアケース２ｂ側の表面である第２面２Ｂには、第２操作部としての第２操作キー群１１Ｂが配置される。
【００２３】
第１操作キー群１１Ａは、数字や文字を入力可能な操作キーを含んで構成される。具体的には、各種設定や電話帳機能やメール機能等の各種機能を作動させるための機能設定操作キー１３、電話番号の数字やメール等の文字等を入力するための入力操作キー１４、各種操作における決定や上下左右方向のスクロール等を行う操作部材としての決定操作キー１５により構成される。
【００２４】
第２面２Ｂに配置される第２操作キー群１１Ｂは、メディア機能に対応した所定の操作を選択可能な操作キーが配置される。第２操作キー群１１Ｂは、メディア機能の操作をするメディア操作部として機能する。また、具体的には、図２（Ａ）に示すように、第２操作キー群１１Ｂは、所定のメディア機能に切り替える切り替えキー９０と、所定のメディア機能のオン／オフをするメディア機能スイッチキー９１と、再生スイッチ９２と、停止スイッチ９３と、一時停止スイッチ９４と、早送りスイッチ９５と、巻き戻しスイッチ９６と、音量を調整する音量スイッチ９７と、により構成される。この第２操作キー群１１Ｂは、タッチセンサーキーにより構成される。
【００２５】
第１操作キー群１１Ａと第２操作キー群１１Ｂとにおける動作は、連結部４を介した操作部側筐体２と表示部側筐体３との回転状態に応じて制御される。具体的には、回転状態に応じて、第１操作キー群１１Ａ又は第２操作キー群１１Ｂによる操作が可能になる（第１操作キー群１１Ａ又は第２操作キー群１１Ｂが操作を受け付ける）共に、所定のメディア機能のアプリケーションに応じて各操作キーに所定の機能が振り分けられる（キー・アサイン）ように制御される。
【００２６】
また、携帯電話機１は、第１操作キー群１１Ａ又は第２操作キー群１１Ｂが操作可能であることを報知する報知手段を有する。具体的には、第１操作キー群１１Ａが操作可能であることを報知する報知手段として、操作部側筐体２の内部に配置され第１操作キー群１１Ａにおける各操作キーを発光させるＬＥＤ発光部（図示しない）を有する。更に、第２操作キー群１１Ｂが操作可能であることを報知する報知手段として、第２操作キー群１１Ｂ全体を発光表示させる発光手段を有する。第２操作キー群１１Ｂは、通常時には表示されておらず、第２面２Ｂには各種操作キーは表示されていない状態である。そして、第２操作キー群１１Ｂによる操作が可能な状態になった場合、発光手段により第２面２Ｂに第２操作キー群１１Ｂを構成する各種操作キーのマーク（イラスト）が表示されるように構成される。
【００２７】
また、操作部側筐体２における一方側の側面には、外部機器（例えば、ホスト装置）と通信を行うためのインターフェース（図示せず）が配置されており、このインターフェースは、キャップ１６により覆われている。操作部側筐体２の他方側の側面には、所定の機能が割り当てられているサイドキー（図示せず）と、外部メモリの挿入及び取り出しが行われるインターフェース（図示せず）とが配置されており、このインターフェースは、キャップにより覆われている。
【００２８】
表示部側筐体３は、外面がフロントケース３ａとリアケース３ｂとにより構成される。表示部側筐体３におけるフロントケース３ａには、各種情報を表示するための表示面２１を有する表示部２０と、通話の相手側の音声を出力するレシーバとしての音声出力部２２と、が露出するように構成される。表示部２０は、液晶パネルと、この液晶パネルを駆動する駆動回路と、この液晶パネルの背面側から光を照射するバックライト等の光源部とから構成される。表示部２０は、表示面２１がフロントケース３ａの表面３Ａと平行になるように配置される。
【００２９】
連結部４は、長手方向Ｙに平行に延びる回転軸Ｐを有する。回転軸Ｐは、表示部２０における表示面２１と平行になるように設定される。連結部４は、回転軸Ｐを中心にして操作部側筐体２と表示部側筐体３とを回転可能に連結する。連結部４は、上述のように、操作部側筐体２の幅方向Ｘにおける一方側に連結されると共に、表示部側筐体３の幅方向Ｘにおける一方側に連結される。
【００３０】
連結部４には、回転検出部４００が配置される。回転検出部４００は、連結部４を介した操作部側筐体２と表示部側筐体３との回転状態を検出する。具体的には、回転検出部４００は、表示面２１と第１面２Ａとの角度を検出する。また、回転検出部４００は、表示面２１と第２面２Ｂとの角度を検出する。
【００３１】
また、回転検出部４００は、携帯電話機１を所定方向から見た場合、表示面２１と第１面２Ａとが同じ側を向いている回転状態であるかを検出する。また、回転検出部４００は、携帯電話機１を所定方向から見た場合、表示面２１と第２面２Ｂとが同じ側を向いている回転状態であるかを検出する。
【００３２】
即ち、表示面２１は、第１面２Ａが面する側に位直するのか、それとも第２面２Ｂが面する側に位置するのかに応じて回転状態を検出する。具体的には、後述する図５において、高さ方向を示すＺ方向のうち、プラス方向（図５における上方向）が第２面２Ｂが面する側となり、マイナス方向（図５における下方向）が第１面２Ａが面する側となり、表示部側筐体３がＫ１の状態からＫ３の状態までの間の回動状態にある場合には、表示面２１は第２面２Ｂが面する側に位置すると判断し、表示面２１と第２面２Ｂとが同じ側を向いている回転状態であると判定する。
【００３３】
例えば、回転検出部４００は、携帯電話機１を正面から見た場合、第１面２Ａが表示面２１に対してなす角度が−９０度より大きく＋９０度よりも小さい回転状態であるかを検出する。また、回転検出部４００は、携帯電話機１を正面から見た場合、第２面２Ｂが表示面２１に対してなす角度が−９０度より大きく＋９０度よりも小さい回転状態であるかを検出する。
【００３４】
また、例えば、回転検出部４００は、携帯電話機１を側面から見た場合、第１面２Ａが表示面２１に対してなす角度が０度より大きく＋１８０度よりも小さい回転状態であるかを検出する。また、回転検出部４００は、携帯電話機１を正面から見た場合、第２面２Ｂが表示面２１に対してなす角度が０度より大きく＋１８０度よりも小さい回転状態であるかを検出する。言い換えると、回転検出部４００は、第１面２Ａの法線が表示面２１に対してなす角度が−９０度より大きく９０度より小さい回転状態であるかを検出する。また、回転検出部４００は、第２面２Ｂの法線が表示面２１に対してなす角度が−９０度より大きく９０度より小さい回転状態であるかを検出する。
【００３５】
図１から図３に示すように、携帯電話機１は、表示部２０における表示面２１と第１操作キー群１１Ａが配置される第１面２Ａとが同じ側を向いて互いに略平行に配置された第１状態（図１参照）から、表示面２１と第２操作キー群１１Ｂが配置される第２操作面３Ｂとが同じ側を向いて互いに略平行に配置された第２状態（図３参照）に変形可能である。
【００３６】
図１に示す第１状態における携帯電話機１は、表示面２１と第１操作キー群１１Ａとが同じ側を向いて互いに平行に配置される。つまり、第１状態における携帯電話機１は、表示面２１を見ながら第１操作キー群１１Ａにより所定の操作をすることができる態様である。
【００３７】
図３に示す第２状態における携帯電話機１は、表示面２１と第２操作キー群１１Ｂとが同じ側を向いて互いに平行に配置される。つまり、第２状態における携帯電話機１は、表示面２１を見ながら第２操作キー群１１Ｂにより所定の操作をすることができる態様である。
【００３８】
ここで、第１状態又は第２状態であることが回転検出部４００により検出された場合、第１操作キー群１１Ａ又は第２操作キー群１１Ｂを構成する操作キーは、各状態に応じた機能が振り分けられる。
【００３９】
次いで、操作部側筐体２及び表示部側筐体３の内部構造について説明する。
操作部側筐体２は、フロントケースと、キーシートと、フレキシブル配線基板と、ケース体と、基準電位パターン層及び携帯電話機用のＲＦ（Ｒａｄｉｏ  Ｆｒｅｑｕｅｎｃｙ）モジュールやＣＰＵ１００等の各種電子部品を備える回路基板と、音声入力部と、リアケース２ｂと、を備える。
【００４０】
フロントケース２ａとリアケース２ｂとは、互いの凹状の内側面が向き合うように配置され、互いの外周縁が重なり合うようにして結合される。また、フロントケース２ａとリアケース２ｂとの間には、キー構造部と、フレキシブル配線基板と、ケース体と、回路基板とが挟まれるようにして内蔵される。
【００４１】
フロントケース２ａには、第１面２Ａに複数のキー孔が形成される。複数のキー孔それぞれからは、機能設定操作キー１３を構成する機能設定操作キー部材の押圧面、入力操作キー１４を構成する入力操作キー部材の押圧面、及び決定操作キー１５を構成する決定操作キー部材の押圧面が露出される。この露出した機能設定操作キー部材、入力操作キー部材及び決定操作キー部材の押圧面を押し下げるように押圧することで、対応するキースイッチそれぞれに設けられる後述のメタルドーム（椀状形状）の頂点が押圧され、スイッチ端子に接触して電気的に導通する。
【００４２】
フレキシブル配線基板に配置される各キースイッチは、椀状に湾曲して立体的に形成された金属板のメタルドームを有する構造になっている。メタルドームは、その椀状形状の頂点が押圧されると、フレキシブル配線基板の表面に印刷された電気回路に形成されるスイッチ端子に接触して電気的に導通するように構成される。なお、フレキシブル配線基板５０は、複数の絶縁フィルムの間に配線を挟み込んだものである。
【００４３】
回路基板には、アンテナ部が送受信する信号を処理する信号処理部を含む不図示の各種電子部品や回路が配置される。回路基板には、不図示の各種電子部品が配置される。各種電子部品は、所定の組み合わせにより複数の回路ブロックを形成する。例えば、無線回路、電源回路、デジタル回路等を含む各種回路ブロックが形成される。
【００４４】
シールドケースは、回路基板上に載置された状態で取り付けられる。具体的には、回路基板上に、シールドケースに形成される隔壁としてのリブにおける底面が当接した状態で取り付けられる。シールドケースは、薄型の直方体における一の広い面が開口した形状を有する金属製の部材である。具体的には、シールドケースは、平板部と、平板部における一方の面に略垂直に形成されるリブとを有する。リブは、回路基板上に実装される各種電子部品のうち最も高さのある電子部品の高さと同等又はそれよりも十分に高くなるよう形成される。なお、シールドケースは、金属により形成する以外に、骨格を樹脂により形成し、その表面に導体膜を形成したものでもよい。
【００４５】
表示部側筐体３は、フロントケース３ａと、リアケース３ｂと、音声出力部と、スピーカと、表示部２０と、表示部２０が接続されたプリント基板と、を備える。表示部側筐体３は、フロントケース３ａと、表示部２０と、プリント基板と、リアケース３ｂとがそれぞれが積層的に配置される。具体的には、フロントケース３ａとリアケース３ｂとは、互いの凹状の内側面が向き合うように配置され、互いの外周縁が重なり合うようにして結合される。そして、フロントケース３ａとリアケース３ｂとの間には、表示部２０が接続されたプリント基板が挟まれるようにして内蔵される。プリント基板には、アンプと接続されるスピーカが接続される。
【００４６】
次に、図４により、携帯電話機１の構成について説明する。図４は、携帯電話機１の構成を説明するブロック図である。
図４に示すように、携帯電話機１は、制御部としてのＣＰＵ１００、ＲＦ（Ｒａｄｉｏ  Ｆｒｅｑｕｅｎｃｙ）回路部１０１、音声処理部１０２、メモリ部１０３、画像処理部１０５、表示部２０、操作部１０６、電源回路部１０４、バッテリ８０、回転検出部４００を有する。
【００４７】
ＲＦ回路部１０１は、不図示の基地局を介した無線通信動作、例えば、電話番号の発呼動作や電子メールの送受信動作等を行う。ＲＦ回路部１０１は、送受信用アンテナ１０９を含んで構成され、電波を利用した無線通信で行うために後述のＣＰＵ１００で処理された音声情報、画像情報、電子メール等を変調して送受信用アンテナ１０９により基地局（図示せず）に送信する。
【００４８】
送受信用アンテナ１０９は、所定の使用周波数帯（例えば、８００ＭＨｚ）で外部装置（基地局）と通信を行う。所定の使用周波数帯として、８００ＭＨｚを例示したが、これ以外の周波数帯であってもよい。また、送受信用アンテナ１０９は、所定の使用周波数帯の他に、第２の使用周波数帯（例えば、２ＧＨｚ）に対応できる、いわゆるデュアルバンド対応型による構成であってもよいし、さらに、第３の使用周波数帯にも対応できる複数バンド対応型により構成されていてもよい。
【００４９】
信号処理部１０１ａは、送受信用アンテナ１０９により受信された信号を復調処理し、送受信用アンテナ１０９から送信される信号を変調する。
【００５０】
音声処理部１０２は、音声入力部１２と、音声出力部２２と、スピーカ２３と、を含んで構成される。音声入力部１２は、集音したユーザの音声を音声処理部１０２に供給する。音声入力部１２により集音された音声は、音声処理部１０２において、アナログ音声信号からデジタル音声信号に変換される。そして、変換されたデジタル音声信号は、ＣＰＵ１００において、フィルタ処理や符号化処理等の所定の処理がなされる。また、音声処理部１０２は、ＣＰＵ１００により供給された着信音データ等のデジタル音声情報に対して所定の処理を行うことによりアナログ音声信号に変換し、音声出力部２２から出力させる。
【００５１】
メモリ部１０３は、ＥＥＰＲＯＭ等の不揮発性メモリを含んで構成され、通話やメールの送受信のための制御プログラム、インターネットブラウザ、メッセージデータ、名前および電話番号等が登録されたアドレス帳等を記憶する。また、メモリ部１０３には、各メディア機能を実行するためのアプリケーションプログラム等が記憶される。
電源回路部１０４は、バッテリ８０からの電力が一定になるように電源を調整する。
【００５２】
画像処理部１０５は、表示部２０に接続される。表示部２０は、液晶表示装置（ＬＣＤ）等の表示ディバイスを有し、電子メールのテキストやメモリ部１０３に格納された様々なテキストや画像を表示する。また、表示部２０は、該携帯電話機１が有する複数のメディア機能それぞれに対応した画像等の情報を表示する。例えば、テレビ機能が起動された状態において、表示部２０は、不図示のテレビ用アンテナにより受信された放送信号に基づいたテレビ画像を表示する。画像処理部１０５は、ユーザが操作部１０６を操作することにより得られた各種データを表示可能に処理し、表示部２０に表示させる。
【００５３】
操作部１０６は、第１操作部としての第１操作キー群１１Ａと第２操作部としての第２操作キー群１１Ｂとを含んで構成される。第１操作キー群１１Ａ又は第２操作キー群１１Ｂを構成する各操作キーそれぞれには、操作部側筐体２と表示部側筐体３との回転状態に加え、各種モードや起動しているメディア機能に対応した所定の機能が割り当てられている。
【００５４】
また、操作部１０６は、回転検出部４００により検出された回転状態に応じて動作が制御される。具体的には、操作部１０６は、回転状態に応じて所定の操作が可能になるようＣＰＵ１００に制御される。詳細には、操作部１０６を構成する第１操作キー群１１Ａ及び第２操作キー群１１Ｂは、回転状態に応じていずれか一方による操作が可能になるよう制御される。言い換えると、操作部１０６を構成する第１操作キー群１１Ａ及び第２操作キー群１１Ｂは、回転状態に応じていずれか一方が操作を受付可能になるよう制御される。
【００５５】
回転検出部４００は、連結部４を介した操作部側筐体２と表示部側筐体３との回転状態を検出する。具体的には、操作部側筐体２における表示面２１と、操作部側筐体２の第１面２Ａ又は第２面２Ｂとのなす角度（表示面２１と、第１面２Ａの法線又は第２面２Ｂの法線とのなす角度）を検出する。回転検出部４００により検出された回転状態（例えば、角度）の情報は、ＣＰＵ１００に出力される。
【００５６】
ＣＰＵ１００は、マイクロコンピュータを主体として構成され、携帯電話機１の全体の制御を行う。ＣＰＵ１００は、算出手段として機能するほか、ＲＦ回路部１０１における各種情報の無線による送受信の制御、音声情報の出力変換等の制御、表示部２０へ情報表示に関する制御、操作部１０６の入力情報に応じた処理等の制御を行う。
【００５７】
ＣＰＵ１００は、上述の回転検出部４００により検出された回転状態に応じて、操作部１０６の動作を制御する。具体的には、上述の通り、ＣＰＵ１００は、所定方向から見て、表示面２１と同じ側にある第１操作キー群１１Ａ又は第２操作キー群１１Ｂによる操作が可能になるよう制御する。具体的には、ＣＰＵ１００は、表示面２１と第１操作キー群１１Ａ又は第２操作キー群１１Ｂとのなす角度に応じて、第１操作キー群１１Ａ又は第２操作キー群Ｂによる操作が可能になるよう制御する。
【００５８】
また、ＣＰＵ１００は、回転検出部４００により検出された回転状態に応じて、所定のメディア機能を起動させる。起動されるメディア機能は、複数のメディア機能から予め選択しておくことができる。複数のメディア機能として、例えば、テレビ機能や録画再生機能等を有する。この起動されたメディア機能に応じた情報が表示面２１に表示される。メディア機能に応じた情報として、例えば、テレビ画像、音楽再生機能の再生情報等を表示できる。
【００５９】
また、ＣＰＵ１００は、複数のメディア機能のうち所定のメディア機能が起動されると共に、該所定のメディア機能に応じた画像等の情報が表示部２０に表示された場合、第２操作キー群による操作が可能になるように制御する。
【００６０】
更に、ＣＰＵ１００は、表示部２０に所定のメディア機能に基づいた画像等の情報が表示された状態で、所定方向から見て第２操作キー群１１Ｂが表示面２１と同じ側を向いている場合、第２操作キー群１１Ｂによる操作を可能にするよう制御できる。
【００６１】
逆に、ＣＰＵ１００は、表示部２０に所定のメディア機能に基づいた画像等の情報が表示された状態で、所定方向から見て第２操作キー群１１Ｂが表示面２１と同じ側を向いていない場合、第２操作キー群１１Ｂによる操作ができないように制御できる。また、この場合、表示部２０における所定のメディアに基づいた表示を規制（例えば、オフ）するよう制御する。
【００６２】
続けて、図５及び図６により、携帯電話機１の変形状態における動作について説明する。図５は、第２面２Ｂが上面を向き表示面２１が側方を向く第３状態を説明する図である。図６は、携帯電話機１の動作を説明するフローチャートである。
図５に示すように、第３状態は、操作部側筐体２側を第２面２Ｂが上面側を向くように配置し、表示部側筐体３側を表示面２１が側方側（図５における手前側）を向くように配置された状態である。携帯電話機１において、連結部４が操作部側筐体２及び表示部側筐体３それぞれにおける幅方向Ｘの一端側に配置されるので、図５に示すように、操作部側筐体２が水平状態であり、表示部側筐体３が垂直状態になるような形態で水平面上に載置することができる。
【００６３】
この状態において、第２操作キー群１１Ｂは上面側を向いて配置され、表示面２１は所定方向Ｄから見える位置を向いて配置される。つまり、所定方向Ｄ側に視聴者がいる場合、視聴者が表示部２０に表示される画像等を横長画面で好適に見ることができると共に、メディア機能に対応した機能の選択や調整がしやすい態様である。
【００６４】
視聴者が方向Ｄから表示部２０を見ている状態において、表示面２１が第２面２Ｂに対してなす角度が０度より大きく１８０度より小さい場合（表示面２１が第２面２Ｂの法線に対してなす角度が−９０度より大きく９０度より小さい場合）には、表示面２１は視聴者から見える位置にある。この場合、第２操作キー群１１Ｂは、表示部２０に所定の画像等の情報を表示させているメディア機能に対応した操作が可能になるよう制御される。
【００６５】
続けて、図５及び図６により、携帯電話機１において、状態が変化した場合における第１操作キー群１１Ａ又は第２操作キー群１１Ｂの動作等について説明する。
【００６６】
まず、図１及び図２に示す第１状態における携帯電話機１を、第２操作キー群１１Ｂが上面になるようにして水平に配置する。この状態において、表示部側筐体３はＫ１に示す状態であり、表示面２１は下面を向いた状態である。言い換えると、表示面２１と第２面２Ｂとのなす角度は０度の状態である（ＳＴ１）。
【００６７】
次いで、表示部側筐体３を表示面２１が下面を向いたＫ１の状態から表示面２１が所定方向Ｄに対向するように配置されるＫ２の状態になるよう表示部側筐体３を回転させる。これにより、表示面２１が所定方向Ｄから見えるように配置される。この状態において、表示面２１と第２面２Ｂとのなす角度は９０度の状態である（ＳＴ１）ので、ＣＰＵ１００により、所定のメディア機能が起動される（ＳＴ２）。所定のメディア機能が起動されたことにより、表示部２０によりメディア機能に基づいた画像表示が開始される（ＳＴ３）。また、同時に、第２操作キー群１１Ｂによる所定の操作が可能となる（ＳＴ４）。第２操作キー群１１Ｂを構成する各操作キーには、起動されたメディア機能に対応した機能が割り当てられる。
【００６８】
続けて、表示部側筐体３を表示面２１が上面を向いたＫ３の状態に表示部側筐体３を回転させる。この状態において、表示面２１と第２面２Ｂとのなす角度は１８０度の状態である（ＳＴ５）ので、ＣＰＵ１００により、所定のメディア機能が停止される（ＳＴ６）。所定のメディア機能が停止されたことにより、表示部２０により表示されていたメディア機能に基づいた画像表示が停止される（ＳＴ７）。また、同時に、第２操作キー群１１Ｂによる所定の操作が不可能となる（ＳＴ８）。
【００６９】
本実施形態によれば、操作部側筐体２と表示部側筐体３との回転状態に応じて第１操作キー群１１Ａ又は第２操作キー群１１Ｂの動作を制御する携帯電話機１を提供することができる。
【００７０】
また、本実施形態によれば、表示面２１を視聴者が見やすい形態に維持できると共に、第２操作キー群１１Ｂにより表示面２１を見ながら操作をすることができる携帯電話機１を提供できる。また、第２面２Ｂに配置される第２操作キー群１１Ｂを備えるので、携帯電話機１は、横置きでの使用時にも違和感なく操作ができる。また、携帯電話機１は、横置きでの使用時において、第２操作キー群１１Ｂが水平方向に配置されるので操作性に優れる。
【００７１】
また、本実施形態によれば、回動状態に応じてメディア機能が起動すると共に、第２操作キー群１１Ｂにおいて起動されたメディア機能に対応した操作ができる。
【００７２】
以上、本形態の好適な実施形態について説明したが、本発明は上述した実施形態に限定されることなく種々の形態で実施することができる。例えば、図５において、表示面２１と第２面２Ｂとのなす角度が０度より大きく１８０度より小さい状態を、所定方向Ｄから見て同じ側を向くとしているが、これに限定されない。例えば、図２（Ａ）における手前側から奥側に向かう方向を所定方向とした場合、表示面２１と第２面２Ｂとのなす角度が−９０度より大きく＋９０度よりも小さい場合が、同じ側を向くといことになる。
【００７３】
また、本実施形態においては、回転軸が１軸である連結部４について説明しているが、これに限定されず、複数の回転軸を有し折り畳み可能に構成された携帯電話機１であってもよい。
【００７４】
また、上述した実施形態において、連結部４は、操作部側筐体２と表示部側筐体３との幅方向（図５に示されるＸ方向）の一方側に配置される構成となっているが、これに限定されることなく、同幅方向の中央に配置されて、同様に両筐体の回転状態に応じて、第１操作キー群１１Ａと第２操作キー群１１Ｂの動作を制御するような構成としてもよい。
【図面の簡単な説明】
【００７５】
【図１】（Ａ）携帯電話機１を開いた第１状態における正面図である。（Ｂ）携帯電話機１を開いた第１状態における側面図である。
【図２】（Ａ）携帯電話機１を開いた第１状態における側面図である。（Ｂ）携帯電話機１を開いた第１状態における背面図である。
【図３】（Ａ）図１の携帯電話機１における操作部側筐体２を連結部４を介して回転した第２状態における正面図である。（Ｂ）携帯電話機１の第２状態における背面図である。
【図４】携帯電話機１の構成を説明するブロック図である。
【図５】第２面２Ｂが上面を向き表示面２１が側方を向く第３状態を説明する図である。
【図６】携帯電話機１の動作を説明するフローチャートである。
【符号の説明】
【００７６】
１      携帯電話機
２      操作部側筐体
２Ａ    第１面
２Ｂ    第２面
３      表示部側筐体
４      連結部
１１Ａ  第１操作キー群
１１Ｂ  第２操作キー群
２０    表示部
２１    表示面
４００  回転検出部
Ｐ      回転軸
【図１】
0004907451.tif 000002
【図２】
0004907451.tif 000003
【図３】
0004907451.tif 000004
【図４】
0004907451.tif 000005
【図５】
0004907451.tif 000006
【図６】
0004907451.tif 000007